(57)【要約】【課題】  画像データ枚数の多い診断用画像データに対して精度のよい読影を効率よく行なう。【解決手段】  画像観察装置１００の画像データリスト生成部９は、画像情報記憶部１０に保存された画像データの付帯情報に基づいて画像データリストを生成し、入力部１７は、表示部１６に表示された前記画像データリストにおいて当該被検体の診断用画像データと参照用画像データを選択する。次いで、特徴量検出部１４２は、この選択情報に基づいて画像情報取得部１１が画像情報記憶部１０から読み出した参照用画像データを画像処理して病巣部の特徴量を検出し、ＲＯＩ設定部１４３は、この特徴量に対して関心領域を設定する。そして、精査範囲設定部１５は、前記選択情報に基づいて画像情報取得部１１が画像情報記憶部１０から読み出した診断用画像データの中から精密な読影を要する精査用画像データを前記関心領域の位置情報に基づいて設定する。【選択図】  図１
2006197968.tif 000002
【特許請求の範囲】
【請求項１】
被検体の診断対象部位に対し第１の画像診断装置が生成した空間的に連続する複数枚の第１の画像データと前記診断対象部位に対し第２の画像診断装置が生成した前記第１の画像データより少ない枚数の第２の画像データを含む画像データ群の中から、前記第１の画像データを診断用画像データとして、又、前記第２の画像データを参照用画像データとして取得する画像情報取得手段と、
前記参照用画像データの前記診断対象部位における特徴量を検出する特徴量検出手段と、
検出された特徴量の位置情報に基づき空間的に連続する複数枚の診断用画像データに対して精査範囲を設定する精査範囲設定手段と、
設定された精査範囲における診断用画像データを精査範囲外の診断用画像データより優先して表示する画像データ表示手段を
備えたことを特徴とする画像観察装置。
【請求項２】
関心領域設定手段を備え、前記精査範囲設定手段は、前記特徴量検出手段が検出した特徴量に対し前記関心領域設定手段が設定した関心領域の位置情報に基づいて前記精査範囲を設定することを特徴とする請求項１記載の画像観察装置。
【請求項３】
被検体の診断対象部位に対し第１の画像診断装置が生成した空間的に連続する複数枚の第１の画像データと、前記診断対象部位に対し第２の画像診断装置が生成した前記第１の画像データより少ない枚数の第２の画像データを含む画像データ群の中から、前記第１の画像データを診断用画像データとして、又、前記第２の画像データを参照用画像データとして取得する画像情報取得手段と、
前記参照用画像データの病巣部に対して関心領域を設定する関心領域設定手段と、
設定された関心領域の位置情報に基づき空間的に連続する複数枚の診断用画像データに対して精査範囲を設定する精査範囲設定手段と、
設定された精査範囲における診断用画像データを精査範囲外の診断用画像データより優先して表示する画像データ表示手段を
備えたことを特徴とする画像観察装置。
【請求項４】
特徴量検出手段を備え、前記関心領域設定手段は、前記参照用画像データの病巣部に対して前記特徴量検出手段が検出した特徴量に基づいて前記関心領域を設定することを特徴とする請求項３記載の画像観察装置。
【請求項５】
前記診断用画像データはＣＴ画像データ又はＭＲＩ画像データの何れかであり、前記参照用画像データはＸ線画像データであることを特徴とする請求項１又は請求項３に記載した画像観察装置。
【請求項６】
前記特徴量検出手段は、疾患別に予め設定された画像処理方法に基づき、前記参照用画像データにおける前記特徴量を検出することを特徴とする請求項１又は請求項４に記載した画像観察装置。
【請求項７】
画像データリスト生成手段と画像データ選択手段を備え、前記画像情報取得手段は、前記第１の画像データ及び前記第２の画像データを含む画像データ群の付帯情報から前記画像データリスト生成手段が生成した画像データリストにおいて前記画像データ選択手段が選択した前記参照用画像データと前記診断用画像データを取得することを特徴とする請求項１又は請求項３に記載した画像観察装置。
【請求項８】
サムネール画像データ生成手段と診断用画像データ選択手段を備え、前記画像データ表示手段は、前記サムネール画像データ生成手段が生成した前記精査範囲における複数の診断用画像データのサムネール画像データの中から前記診断用画像データ選択手段が選択した所望のサムネール画像データに対応した診断用画像データを表示することを特徴とする請求項１又は請求項３に記載した画像観察装置。
【請求項９】
被検体の診断対象部位に対し第１の画像診断装置が生成した空間的に連続する複数枚の第１の画像データと、前記診断対象部位に対し第２の画像診断装置が生成した前記第１の画像データより少ない枚数の第２の画像データを含む複数の画像データの付帯情報に基づいて画像データリストを生成するステップと、
この画像データリストにおいて前記第１の画像データを診断用画像データとして、又、前記第２の画像データを参照用画像データとして選択するステップと、
選択された前記参照用画像データの前記診断対象部位における特徴量を検出するステップと、
検出された特徴量に対して関心領域を設定するステップと、
この関心領域の位置情報に基づき空間的に連続する複数枚の診断用画像データに対して精査範囲を設定するステップと、
設定された精査範囲における診断用画像データを精査範囲外の診断用画像データより優先して表示するステップを
有することを特徴とする画像観察方法。
【発明の詳細な説明】
【技術分野】
【０００１】
本発明は、画像観察装置及び画像観察方法に係り、特に当該被検体に対して収集された多くの画像データの中から病巣部における画像データを効率よく読影することが可能な画像観察装置及び画像観察方法に関する。
【背景技術】
【０００２】
医用画像診断技術は、近年のコンピュータ技術の発展に伴って実用化されたＸ線ＣＴ装置やＭＲＩ装置などによって急速な進歩を遂げ、今日の医療において必要不可欠なものとなっている。特に近年のＸ線ＣＴ装置やＭＲＩ装置では生体情報の検出装置や演算処理装置の高速化、高性能化に伴い、画像データのリアルタイム表示が可能となり、更に、３次元画像データの生成と表示も容易に行なわれるようになった。
【０００３】
例えば、Ｘ線ＣＴ装置においては、Ｘ線を照射するＸ線管と照射されたＸ線を検出するＸ線検出器を被検体の周囲に対向して配置し、この被検体を前記Ｘ線管及びＸ線検出器に対し体軸方向（スライス方向）に相対移動して被検体の複数スライス断面におけるＸ線投影データを収集することにより３次元画像データ（ボリュームデータ）の生成を行なっている。又、被検体を体軸方向に連続移動しながらＸ線投影データの収集を行なう、所謂ヘリカル走査方式を用いることによって３次元画像データの生成に要する時間は更に短縮されつつある。
【０００４】
一方、画像診断装置を用いて得られた各々の画像データに対してコンピュータによる解析を行ない、得られた解析結果と画像データを比較対照することにより診断（読影）精度と診断効率の向上をはかったコンピュータ支援診断（ＣＡＤ：Computer Aided Diagnosis）技術が開発されている。
【０００５】
例えば、Ｘ線診断装置によって得られたＸ線画像データでは、Ｘ線の放射経路に沿った生体情報は積算されてしまうために造影剤を使用しない限りコントラスト分解能に劣り、更に、Ｘ線照射方向の分解能が得られない欠点を有しているため、Ｘ線画像データのみで診断を行なう場合には病巣部を見逃す危険性があった。
【０００６】
このような欠点を補い画像診断の信頼性を高める方法として、異なる種類の画像診断装置によって収集された同一被検体の同一診断部位における画像データに対して上述のＣＡＤ技術を導入することにより、読影を行なう医師（以下では、操作者と呼ぶ。）の負担を増大させることなく画像データの比較観察を効率よく行なうことが可能な画像観察方法が提案されている（例えば、特許文献１参照。）。
【０００７】
この方法によれば、所定の画像診断装置から得られた画像データを解析することによって検出した病巣部候補の情報を他の画像診断装置から得られた画像データに重畳して表示することが可能なため病巣部の見逃しを低減させることができる。
【特許文献１】特開２００４−１８０９３２号公報。
【発明の開示】
【発明が解決しようとする課題】
【０００８】
ところで、上述のＸ線ＣＴ装置やＭＲＩ装置等では、空間分解能の改善を目的として画像データを構成する画素数や画像データ枚数は増加の一途にあり、例えば、ヘリカルスキャンの実用化によって３次元データ（ボリュームデータ）の生成が容易となったＸ線ＣＴ装置では、被検体の１検査におけるスライス方向の画像データ枚数は１０００枚を超えることがある。そして、このような画像データに対して上述の特許文献１に記載されている方法を適用した場合には、画像解析に多くの時間を要し効率のよい読影を行なうことは困難であった。
【０００９】
本発明は、上述の問題点に鑑みてなされたものであり、その目的は、画像データ枚数が比較的少ない画像診断装置の画像データ（参照用画像データ）から得られた病巣部の位置情報に基づいて画像データ枚数が多い画像診断装置の画像データ（診断用画像データ）の中から選択された前記病巣部における診断用画像データを優先的に読影することにより、精度のよい読影を効率よく行なうことが可能な画像観察装置及び画像観察方法を提供することにある。
【課題を解決するための手段】
【００１０】
上記課題を解決するために、請求項１に係る本発明の画像観察装置は、被検体の診断対象部位に対し第１の画像診断装置が生成した空間的に連続する複数枚の第１の画像データと前記診断対象部位に対し第２の画像診断装置が生成した前記第１の画像データより少ない枚数の第２の画像データを含む画像データ群の中から、前記第１の画像データを診断用画像データとして、又、前記第２の画像データを参照用画像データとして取得する画像情報取得手段と、前記参照用画像データの前記診断対象部位における特徴量を検出する特徴量検出手段と、検出された特徴量の位置情報に基づき空間的に連続する複数枚の診断用画像データに対して精査範囲を設定する精査範囲設定手段と、設定された精査範囲における診断用画像データを精査範囲外の診断用画像データより優先して表示する画像データ表示手段を備えたことを特徴としている。
【００１１】
又、請求項３に係る本発明の画像観察装置は、被検体の診断対象部位に対し第１の画像診断装置が生成した空間的に連続する複数枚の第１の画像データと、前記診断対象部位に対し第２の画像診断装置が生成した前記第１の画像データより少ない枚数の第２の画像データを含む画像データ群の中から、前記第１の画像データを診断用画像データとして、又、前記第２の画像データを参照用画像データとして取得する画像情報取得手段と、前記参照用画像データの病巣部に対して関心領域を設定する関心領域設定手段と、設定された関心領域の位置情報に基づき空間的に連続する複数枚の診断用画像データに対して精査範囲を設定する精査範囲設定手段と、設定された精査範囲における診断用画像データを精査範囲外の診断用画像データより優先して表示する画像データ表示手段を備えたことを特徴としている。
【００１２】
一方、請求項９に係る本発明の画像観察方法は、被検体の診断対象部位に対し第１の画像診断装置が生成した空間的に連続する複数枚の第１の画像データと、前記診断対象部位に対し第２の画像診断装置が生成した前記第１の画像データより少ない枚数の第２の画像データを含む複数の画像データの付帯情報に基づいて画像データリストを生成するステップと、この画像データリストにおいて前記第１の画像データを診断用画像データとして、又、前記第２の画像データを参照用画像データとして選択するステップと、選択された前記参照用画像データの前記診断対象部位における特徴量を検出するステップと、検出された特徴量に対して関心領域を設定するステップと、この関心領域の位置情報に基づき空間的に連続する複数枚の診断用画像データに対して精査範囲を設定するステップと、設定された精査範囲における診断用画像データを精査範囲外の診断用画像データより優先して表示するステップを有することを特徴としている。
【発明の効果】
【００１３】
本発明によれば、画像データ枚数が比較的少ない参照用画像データから得られた病巣部の位置情報に基づいて画像データ枚数が多い診断用画像データの中から選択された前記病巣部における診断用画像データを優先的に読影することにより、精度のよい読影を効率よく行なうことが可能となる。
【発明を実施するための最良の形態】
【００１４】
以下、図面を参照して本発明の実施例を説明する。
【実施例１】
【００１５】
以下に述べる本発明の第１の実施例の特徴は、第１の画像診断装置から新たに収集された多くの枚数からなる第１の画像データの中の病巣部位に対応した所定範囲の画像データに対して精密な読影（以下では、精査と呼ぶ。）を選択的に行なう際に、第２の画像診断装置から収集された同一被検体の同一部位の１枚あるいは数枚の第２の画像データにおける前記病巣部位の位置情報に基づき前記第１の画像データにおける精査範囲を設定することにある。
【００１６】
尚、以下の説明では、第１の画像診断装置をＸ線ＣＴ装置、第２の画像診断装置をＸ線診断装置とするがこれに限定されない。そして、第１の画像診断装置によって新たに得られ読影に供される画像データ（ＣＴ画像データ）を診断用画像データ、第２の画像診断装置によって予め得られ上述の診断用画像データにおける精査範囲を設定するために用いられる画像データ（Ｘ線画像データ）を参照用画像データと呼び、更に、精査範囲における診断用画像データを精査用画像データと呼ぶ。
【００１７】
この場合、当該被検体に対して収集される診断用画像データは、参照用画像データと比較して極めて多い枚数を有する場合を想定しており、例えば、胸部の診断部位に対しＸ線ＣＴ装置から得られる診断用画像データは既に述べたように１０００枚程度となるのに対して、伝統的なＸ線診断装置によって得られる参照用画像データは１枚あるいは数枚となる。
【００１８】
（画像観察装置の構成）
以下、本発明の第１の実施例における画像観察装置の構成につき図１を用いて説明する。
【００１９】
図１は、本実施例における画像観察装置の全体構成を示すブロック図であり、画像観察装置１００は、画像診断装置１０１や画像データサーバ１０２から供給される診断用画像データや参照用画像データを、その付帯情報と共に保存する画像情報記憶部１０と、画像情報記憶部１０に保存された画像データの付帯情報に基づいて画像データリストを生成する画像データリスト生成部９と、この画像データリストに基づいて選択された画像データあるいは付帯情報を前記画像情報記憶部１０から読み出す画像情報取得部１１と、読み出された画像データに対して診断用画像データと参照用画像データを区分する画像データ識別部１２と、区分された診断用画像データを保存すると共に、この診断用画像データの中から後述の精査範囲設定部１５によって設定された精査用画像データを保存する診断用画像データ記憶部１３を備えている。
【００２０】
又、画像観察装置１００は、画像データ識別部１２によって区分された参照用画像データの病巣部における陰影等の特徴量を検出し、この特徴量に基づいて設定された関心領域（ＲＯＩ：Region of Interest）の位置データを生成する特徴量位置データ生成部１４と、ＲＯＩの位置データに基づいて診断用画像データにおける精査範囲を設定する精査範囲設定部１５を備え、更に、上述の画像データリストや精査範囲設定部１５によって設定された精査範囲の診断用画像データ、即ち精査用画像データ等を表示する表示部１６と、前記画像データリストにおいて所望の診断用画像データ及び参照用画像データの選択や各種コマンド信号の入力等を行なう入力部１７と、上述の各ユニットを統括的に制御するシステム制御部１８を備えている。
【００２１】
画像情報記憶部１０は、磁気ディスクや光磁気ディスク等の大容量記憶媒体を備え、院内に設けられた複数の画像診断装置１０１や画像データサーバ１０２等からネットワーク１０３あるいは光磁気ディスク等の記憶媒体を介して供給された画像データやその付帯情報を保存する。図２は、画像情報記憶部１０に保存された診断用画像データ（図２（ａ））及び参照用画像データ（図２（ｂ））とその付帯情報を模式的に示したものであり、各々の画像データには、例えば、被検体ＩＤあるいは被検体名、診断部位、使用した画像診断装置（モダリティ）、シリーズ、画像番号あるいは画像データ収集位置、更には、検査年月日等が付加されている。尚、シリーズとして、造影剤投与の有無、階調性強調（高コントラスト）、拡大撮影等がある。
【００２２】
次に、図１の画像データリスト生成部９は、ＣＰＵと記憶回路を備え、画像情報記憶部１０に保存されている診断用画像データの付帯情報及び参照用画像データの付帯情報を読み出して画像データリストを生成する。図３は、画像データリスト生成部９によって生成された画像データリストの具体例であり、例えば、被検体氏名、被検体ＩＤ、モダリティ、シリーズ、検査年月日等が示された一覧表が画像データリスト生成部９によって作成される。
【００２３】
一方、図１の画像情報取得部１１は、表示部１６に表示された画像データリストにおいて入力部１７が選択した情報に基づき、当該被検体に対する診断用画像データと、この診断用画像データに対して精査範囲を設定するための参照用画像データを読み出す。例えば、図３に示した画像データリストのリスト番号Ｌ１乃至Ｌ４が診断用画像データとして選択された場合には、被検体ＩＤ「０００１１」の被検体の「胸部」に対し、「造影剤有」「造影剤無」「拡大表示」「高コントラスト」の各シリーズで生成されたＭ枚のＣＴ画像データＤｄ−１乃至Ｄｄ−Ｍが順次読み出される。同様にして、参照用画像データとして画像データリストのリスト番号Ｌ７が選択された場合には、同一被検体の同一部位に対するＸ線画像データＤｒ−１が読み出される。
【００２４】
そして、画像データ識別部１２は、画像情報取得部１１から供給された診断用画像データ及び参照用画像データを、その付帯情報のモダリティに基づいて識別し、供給された画像データが診断用画像データの場合には診断用画像データ記憶部１３に、又、参照用画像データの場合には特徴量位置データ生成部１４の後述する参照用画像データ記憶部１４１に区分して保存する。
【００２５】
診断用画像データ記憶部１３は、画像データ識別部１２によって区分された各シリーズの診断用画像データＤｄ−１乃至Ｄｄ−Ｍを順次保存し、更に、特徴量位置データ生成部１４が設定したＲＯＩの位置データに基づき後述の精査範囲設定部１５が診断用画像データに対して設定した精査範囲におけるＰ枚の精査用画像データＤｘ−１乃至Ｄｘ−Ｐの保存を行なう。具体的には、診断用画像データＤｄ−１乃至Ｄｄ−Ｍの中の前記精査範囲における診断用画像データに対し、精査用画像データであることを識別するためのインデックスＤｘ−１乃至Ｄｘ−Ｐが付加される。
【００２６】
次に、特徴量位置データ生成部１４は、画像データ識別部１２によって区分された参照用画像データを保存する参照用画像データ記憶部１４１と、この参照用画像データに対して所定の画像処理を行ない腫瘍陰影等の特徴量を検出する特徴量検出部１４２と、検出された特徴量の形状に基づいてＲＯＩを設定するＲＯＩ設定部１４３を備えている。
【００２７】
特徴量位置データ生成部１４の特徴量検出部１４２は、演算回路と記憶回路を備え、参照用画像データにおける前記特徴量の検出を目的としたフィルタリング処理等の画像処理を行なう。例えば、肺癌や間質性肺炎等の被検体から得られた参照用画像データに対してその特徴量を検出する場合には、前記記憶回路に予め保存された疾患別の最適フィルタ条件を用いて参照用画像データに対するフィルタリング処理を行なう。更に、フィルタリング処理によって腫瘍の陰影が強調された参照用画像データに対し２値化処理を行ない腫瘍の輪郭抽出を行なってもよい。
【００２８】
次いで、ＲＯＩ設定部１４３は、特徴量検出部１４２により検出された特徴量に基づいてＲＯＩの設定を行なう。この場合、検出された特徴量を取り囲むように設定されるＲＯＩは、円形あるいは楕円形にて近似されたものであってもよい。そして、このとき設定したＲＯＩの位置データを精査範囲設定部１５に供給する。
【００２９】
一方、精査範囲設定部１５は、ＲＯＩ設定部１４３から供給されたＲＯＩの位置データに基づいて、診断用画像データ記憶部１３に保存されている診断用画像データＤｄ−１乃至Ｄｄ−Ｍに対し精査範囲を設定する。この場合、参照用画像データにおいて設定されたＲＯＩの位置データと診断用画像データにおける画像データ生成位置（スライス位置）は一義的に対応づけられている。
【００３０】
次に図４及び図５を用い、参照用画像データに設定されたＲＯＩと診断用画像データにおける精査範囲について更に詳しく説明する。
【００３１】
図４は、参照用画像データとして収集された胸部のＸ線透視画像データを示したものであり、画像情報取得部１１及び画像データ識別部１２を介して画像情報記憶部１０から供給された参照用画像データ５１は、特徴量位置データ生成部１４の特徴量検出部１４２によるフィルタリング処理や２値化処理等の画像処理によって腫瘍等の特徴量５２が検出され、更に、ＲＯＩ設定部１４３により、円形状のＲＯＩ５３が前記特徴量５２を取り囲むように自動設定される。尚、図４の参照用画像データ５１におけるＺ方向は被検体の体軸方向に対応している。
【００３２】
そして、ＲＯＩ設定部１４３よりＲＯＩ５３の位置情報が供給された精査範囲設定部１５は、診断用画像データが体軸方向（Ｚ方向）に垂直な複数の断面において得られるＣＴ画像データの場合には、前記ＲＯＩにおけるＺ軸方向の最小値Ｚｍｉｎと最大値Ｚｍａｘの間を精査範囲ΔＺｘに設定する。
【００３３】
一方、図５は、Ｘ線ＣＴ装置によって収集された胸部の診断用画像データＤｄ−１乃至Ｄｄ−ＭとＲＯＩ５３の位置情報によって設定された精査用画像データＤｘ−１乃至Ｄｘ−Ｐを示したものであり、画像情報取得部１１は、被検体の体軸方向（Ｚ方向）にΔＺ間隔で収集された診断用画像データＤｄ−１乃至Ｄｄ−Ｍを画像情報記憶部１０から読み出す。そして、読み出された診断用画像データＤｄ−１乃至Ｄｄ−Ｍは、画像データ識別部１２を介して診断用画像データ記憶部１３に保存される。
【００３４】
次いで、上述の精査範囲設定部１５は、ＲＯＩ５３におけるＺ軸方向の最小値Ｚｍｉｎ及び最大値Ｚｍａｘで定義された精査範囲ΔＺｘに対応する診断用画像データを精査用画像データＺｘ−１乃至Ｚｘ−Ｐに設定する。
【００３５】
再び図１に戻って、表示部１６は、画像データリスト生成部９にて生成された診断用画像データ及び参照用画像データに関する画像データリスト（図３参照）や診断用画像データ記憶部１３に保存された精査用画像データの表示を行ない、更に、診断用画像データ記憶部１３に保存された診断用画像データや精査用画像データを用いて生成したサムネール画像データやスカウト画像データを表示する。
【００３６】
図６は、表示部１６の構成を示したものであり、表示部１６は、サムネール画像データ生成部１６１、スカウト画像データ生成部１６２、表示データ生成回路１６３、変換回路１６４及びモニタ１６５を備えている。
【００３７】
サムネール画像データ生成部１６１は、診断用画像データ記憶部１３に保存された精査用画像データＤｘ−１乃至Ｄｘ−Ｐを読み出し、そのサムネール画像データＤｘｓ−１乃至Ｄｘｓ−Ｐを生成する。又、診断用画像データが複数のシリーズにおいて得られる場合には、各シリーズを代表する精査用画像データ（例えば、精査範囲設定部１５が設定した精査範囲ΔＺｘの略中央において得られた精査用画像データ）のサムネール画像データを各々のシリーズに対して生成する。
【００３８】
一方、スカウト画像データ生成部１６２は、診断用画像データ記憶部１３に保存されている診断用画像データと精査用画像データの位置情報に基づいてスカウト画像データを生成する。即ち、スカウト画像データ生成部１６２は、診断用画像データ記憶部１３に保存されている体軸方向に垂直な複数のスライス断面において生成された診断用画像データと上述の精査用画像データの位置情報とからスカウト画像データを生成する。
【００３９】
次に、表示データ生成回路１６３は、画像データリスト生成部９にて生成された診断用画像データ及び参照用画像データに関する画像データリスト、診断用画像データ記憶部１３に保存された精査用画像データ、更には、表示部１６のサムネール画像データ生成部１６１及びスカウト画像データ生成部１６２において生成された上述のサムネール画像データ及びスカウト画像データを所定の表示フォーマットに変換して表示データを生成する。又、精査用画像データの表示に際しては、この精査用画像データに対して付帯情報を合成し表示データを生成する。そして、表示データ生成回路１６３にて生成された表示データは、変換回路１６４にてＤ／Ａ変換とテレビフォーマット変換がなされた後モニタ１６５に表示される。
【００４０】
図７（ａ）は、表示部１６のモニタ１６５においてシリーズ単位で表示されるサムネール画像データの具体例を示したものであり、例えば、造影剤無、造影剤有、拡大撮影、高コントラスト撮影の各シリーズにおける代表的な精査用画像データのサムネール画像データＤｘｓ１乃至Ｄｘｓ４が並列表示される。尚、この場合のサムネール画像データＤｘｓ１乃至Ｄｘｓ４は、既に述べたように精査範囲設定部１５が設定した精査範囲ΔＺｘの略中央において得られた精査用画像データに基づいて生成されたものであってもよいが、頭部側の精査用画像データＤｘ−１に基づくものであってもよく、特に限定されない。
【００４１】
又、図７（ｂ）は、図７（ａ）に示した複数のサムネール画像データＤｘｓ１乃至Ｄｘｓ４の中の所定シリーズのサムネール画像データ（例えばサムネール画像データＤｘｓ１）が選択された場合に表示部１６に表示される画像データを示している。この場合、選択されたシリーズにおける代表的なサムネール画像データＤｘｓ１に対応した画像データがモニタ１６５の中央部に表示される。尚、スカウト画像データ生成部１６２が生成したスカウト画像データＳＳも、上述の画像データと共に表示してもよい。
【００４２】
一方、図８は、表示部１６に表示されるスカウト画像データを示したものであり、診断用画像データＤｄ―１乃至Ｄｄ−Ｍに基づいて生成された画像データに対し、診断用画像データＤｄ―１乃至Ｄｄ−Ｍの位置情報を示すスライスラインＳＬ−１乃至ＳＬ−Ｍ及び精査用画像データの位置情報を示すスライスラインＳＬｘ−１乃至ＳＬｘ−Ｐが重畳表示される。この場合、精査用画像データのスライスラインＳＬｘ−１乃至ＳＬｘ―Ｐは、診断用画像データのスライスラインＳＬ−１乃至ＳＬ―Ｍに対し異なる色彩や線種等で表示することによって精査用画像データの位置を容易に把握することが可能となる。
【００４３】
次に、図１の入力部１７は、表示パネルやキーボード、各種スイッチ、選択ボタン、マウス等の入力デバイスを備えたインターラクティブなインターフェースであり、表示部１６に表示された画像データリストにおける診断用画像データ及び参照用画像データの選択、被検体情報の入力、更には、各種コマンド信号の入力等が行われる。
【００４４】
そして、システム制御部１８は、図示しないＣＰＵと記憶回路を備えており、入力部１７から送られてくる選択情報、入力情報及び各種コマンド信号は前記記憶回路に保存される。そして、入力部１７から供給されるこれらの入力情報に基づいて上述の各ユニットを統括的に制御する。
【００４５】
（診断用画像データの観察手順）
次に、本発明の第１の実施例における診断用画像データの観察手順につき図９のフローチャートを用いて説明する。尚、以下では、診断用画像データとして４つのシリーズにおけるＣＴ画像データを、参照用画像データとしてＸ線画像データを例に説明するが、これらに限定されるものではない。
【００４６】
本実施例における画像観察装置１００の画像情報記憶部１０は、通常、ネットワーク１０３を介して１つあるいは複数の画像診断装置１０１や画像データサーバ１０２と接続されており、画像診断装置１０１にて新たに生成された診断用画像データは、ネットワーク１０３を介して画像データサーバ１０２に保存されると共に、画像情報記憶部１０に保存される（図９のステップＳ１）。
【００４７】
そして、画像データリスト生成部９は、画像情報記憶部１０に新たに保存された診断用画像データの付帯情報を読み出し、この付帯情報に基づいて既に作成されている画像データリストを更新する。次いで、表示部１６は、画像データリスト生成部９から供給された更新後の画像データリストをモニタ１６５に表示する（図９のステップＳ２）。
【００４８】
例えば、Ｘ線ＣＴ装置において新たに生成された「造影剤有」、「造影剤無」、「拡大撮影」、「高コントラスト撮影」の各シリーズにおけるＣＴ画像データは、その付帯情報と共に画像観察装置１００の画像情報記憶部１０に保存される。一方、画像データリスト生成部９は、上記付帯情報を読み出し、これらの付帯情報に基づいて画像データリストを更新する。図３は、このとき更新された画像データリストを示しており、リスト番号Ｌ１乃至Ｌ４は新たに追加された画像データリストであり、リスト番号Ｌ５以降は既に作成された画像データリストである。
【００４９】
診断用画像データの観察に際し、表示部１６のモニタ１６５に表示された画像データリストにリスト番号Ｌ１乃至Ｌ４の画像データリストが新たに追加されたならば、操作者は、入力部１７に設けられたマウス等の入力デバイスを用い、診断用画像データとして新たに追加された画像データリストに対応したＣＴ画像データを、又、参照用画像データとして前記画像データリストと同一の被検体ＩＤ及び疾患名が示されたリスト番号Ｌ７のＸ線画像データを選択する（図９のステップＳ３）。
【００５０】
一方、画像情報取得部１１は、システム制御部１８を介して入力部１７から供給された上述の選択情報を受信し、この選択情報に基づいて画像情報記憶部１０に保存されているリスト番号Ｌ１乃至Ｌ４のＣＴ画像データと、リスト番号Ｌ７のＸ線画像データを順次読み出して画像データ識別部１２に供給する。
【００５１】
そして、画像データ識別部１２は、画像情報取得部１１より供給された上述の画像データの付帯情報を検索し、診断用画像データとして選択したＣＴ画像データの場合には診断用画像データ記憶部１３に、又、参照用画像データとして選択したＸ線画像データの場合には特徴量位置データ生成部１４の参照用画像データ記憶部１４１に保存する。
【００５２】
次に、特徴量位置データ生成部１４の特徴量検出部１４２は、参照用画像データ記憶部１４１に保存された参照用画像データを読み出し、この参照用画像データに対してフィルタリング処理や２値化処理等の信号処理を行なって腫瘍の陰影（特徴量）を検出する（図９のステップＳ４）。そして、ＲＯＩ設定部１４３は、特徴量検出部１４２が検出した特徴量に基づいてＲＯＩを設定し、その位置データを精査範囲設定部１５に供給する（図９のステップＳ５）。
【００５３】
次いで、精査範囲設定部１５は、ＲＯＩ設定部１４３から供給されたＲＯＩの位置データに基づき、診断用画像データ記憶部１３に保存されている各シリーズの診断用画像データに対して精査範囲を設定し、更に、この精査範囲の診断用画像データを精査用画像データに設定する（図９のステップＳ６）。
【００５４】
一方、表示部１６のスカウト画像データ生成部１６２は、診断用画像データ記憶部１３に保存されている診断用画像データと精査範囲設定部１５が設定した精査用画像データの位置情報とからスカウト画像データを生成する（図８参照）。
【００５５】
又、サムネール画像データ生成部１６１は、診断用画像データ記憶部１３に保存された精査用画像データを読み出し、そのサムネール画像データを生成する。そして、このとき生成された各シリーズの代表サムネール画像データは表示部１６の表示データ生成回路１６３及び変換回路１６４を介してモニタ１６５に並列表示される（図７（ａ）参照）。
【００５６】
次に、操作者は、表示部１６に表示された各シリーズの代表サムネール画像データの中から所望シリーズの代表サムネール画像データを入力部１７に設けられた入力デバイスを用いて選択し、システム制御部１８を介してこの選択情報を受信した表示部１６の表示データ生成回路１６３は、選択されたシリーズにおける複数のサムネール画像データとスカウト画像データ生成部１６２が生成したスカウト画像データを合成し、変換回路１６４を介してモニタ１６５に表示する（図７（ｂ）参照）（図９のステップＳ７）。
【００５７】
次に、操作者は、表示部１６に表示されたスカウト画像データを参考に所望位置におけるサムネール画像データを入力部１７の入力デバイスを用いて選択する。この選択情報を受信した表示部１６の表示データ生成回路１６３は、選択されたサムネール画像データに対応した精査用画像データと付帯情報を診断用画像データ記憶部１３から読み出し、所定表示フォーマットに変換して表示データを生成する。そして、この表示データは、変換回路１６４にてＤ／Ａ変換とテレビフォーマット変換がなされた後モニタ１６５に表示される（図９のステップＳ８）。そして、操作者は、表示された精査用画像データに対して精密な読影（精査）を行なう（図９のステップＳ９）。
【００５８】
以下、上述の動作を繰返すことによって精査用画像データに対する精査を行ない、これらの精査が終了したならば、精査範囲以外における診断用画像データに対して通常の読影を行なう（図９のステップＳ１０）。
【００５９】
以上述べた第１の実施例によれば、画像データ枚数が比較的少ない参照用画像データから得られた病巣部の位置情報に基づいて画像データ枚数が多い診断用画像データの中から選択した前記病巣部における精査用画像データを優先的に精密読影することにより、精度のよい読影を効率よく行なうことが可能となる。
【００６０】
又、上述の方法によって設定された精査用画像データを読影する際に、この精査用画像データに対するサムネール画像データやスカウト画像データに基づいて所望の精査用画像データの選択が行なわれるため、被検体あるいは腫瘍等の病巣部と精査用画像データの位置関係を正確に把握することが可能となる。
【００６１】
尚、上述の実施例では、診断用画像データに対して精査範囲を設定する際に、先ず参照用画像データの病巣部における特徴量を検出し、この特徴量に対して設定したＲＯＩの位置情報に基づいて精査範囲を設定したが、検出された特徴量の位置情報から前記精査範囲を直接設定してもよい。又、参照用画像データに対して特徴量を検出する際の画像処理は、上述のフィルタリング処理や２値化処理に限定されるものではなく、他の画像処理方法を適用してもよい。
【実施例２】
【００６２】
次に、本発明の第２の実施例について説明する。この第２の実施例の特徴は、表示部に表示された参照用画像データの病巣部に対し操作者が設定したＲＯＩの位置情報に基づいて診断用画像データにおける精査範囲の設定を行なうことにある。
【００６３】
（画像観察装置の構成）
本実施例における画像観察装置の構成につき図１０を用いて説明する。尚、図１０に示した画像観察装置のブロック図において、第１の実施例と同様な機能を有するユニットは同一符号で示す。
【００６４】
図１０に示した画像観察装置１５０は、画像診断装置１０１や画像データサーバ１０２から供給される診断用画像データや参照用画像データを、その付帯情報と共に保存する画像情報記憶部１０と、画像情報記憶部１０に保存された画像データの付帯情報に基づいて画像データリストを生成する画像データリスト生成部９と、この画像データリストに基づいて選択された画像データあるいは付帯情報を前記画像情報記憶部１０から読み出す画像情報取得部１１と、読み出された画像データに対して診断用画像データと参照用画像データを区分する画像データ識別部１２と、区分された診断用画像データを保存すると共に、この診断用画像データの中から後述の精査範囲設定部１５によって設定された精査範囲における精査用画像データを保存する診断用画像データ記憶部１３を備えている。
【００６５】
又、画像観察装置１５０は、画像データ識別部１２によって区分された参照用画像データを保存する参照用画像データ記憶部１４１と、後述の表示部１６に表示された参照用画像データの病巣部に対して設定されたＲＯＩの位置データを記憶するＲＯＩ位置データ記憶部１４４と、このＲＯＩの位置データに基づいて診断用画像データにおける精査範囲を設定する精査範囲設定部１５を備え、更に、上述の画像データリストや参照用画像データ、更には精査範囲設定部１５によって設定された精査用画像データ等を表示する表示部１６と、前記画像データリストにおける所望の診断用画像データ及び参照用画像データの選択、参照画像データの病巣部に対するＲＯＩの設定、各種コマンド信号の入力等を行なう入力部１７と、上述の各ユニットを統括的に制御するシステム制御部１８を備えている。
【００６６】
そして、ＲＯＩ位置データ記憶部１４４は、入力部１７に設けられた入力デバイスが表示部１６に表示された参照用画像データの病巣部に対して設定したＲＯＩの位置データを生成する。
【００６７】
（診断用画像データの観察手順）
次に、本発明の第２の実施例における診断用画像データの観察手順につき図１１を用いて説明する。尚、図１１は、本実施例における診断用画像データの観察手順を示すフローチャートであり、図９に示した第１の実施例と同一のステップは同一符号で示し、詳細な説明は省略する。
【００６８】
診断用画像データの観察に先立って、画像診断装置１０１にて新たに生成された画像データ（診断用画像データ）は、ネットワーク１０３を介して画像観察装置１５０の画像情報記憶部１０に保存される（図１１のステップＳ１）。そして、画像データリスト生成部９は、保存された画像データの付帯情報に基づいて画像データリストを更新し、表示部１６は、更新後の画像データリストをモニタ１６５に表示する（図１１のステップＳ２）。
【００６９】
次いで、操作者は、入力部１７に設けられた入力デバイスを用い、表示部１６に表示された画像データリストの中から診断用画像データと参照用画像データを選択する（図１１のステップＳ３）。次いで、画像情報取得部１１は、この選択情報に基づいて画像情報記憶部１０に保存されている診断用画像データ及び参照用画像データを順次読み出して画像データ識別部１２に供給する。そして、画像データ識別部１２は、供給された画像データの付帯情報を検索し、診断用画像データの場合は診断用画像データ記憶部１３に、又、参照用画像データの場合は参照用画像データ記憶部１４１に保存する。
【００７０】
次に、表示部１６の表示データ生成回路１６３は、参照用画像データ記憶部１４１に保存された参照用画像データを読み出してモニタ１６５に表示する（図１１のステップＳ１４）。そして、操作者は、表示部１６のモニタ１６５に表示された参照画像データにおける病巣部に対し、入力部１７の入力デバイスを用いてＲＯＩを設定し（図１１のステップＳ１５）、ＲＯＩ位置データ記憶部１４４は、システム制御部１８を介して入力部１７より供給されるＲＯＩの位置データを保存する。
【００７１】
一方、精査範囲設定部１５は、ＲＯＩ位置データ記憶部１４４に保存されたＲＯＩの位置データを読み出す。そして、この位置データに基づき、診断用画像データ記憶部１３に保存されている各シリーズの診断用画像データに対して精査範囲を設定し、更に、この精査範囲における診断用画像データを精査用画像データに設定する（図１１のステップＳ６）。
【００７２】
次いで、サムネール画像データを用いた精査用画像データの表示が行なわれるが、これらのステップは第１の実施例の場合と同様であるため説明を省略する。
【００７３】
以上述べた第２の実施例によれば、第１の実施例と同様にして画像データ枚数が比較的少ない参照用画像データにおける病巣部の位置情報に基づいて画像データ枚数が多い診断用画像データの中から前記病巣部における精査用画像データを設定し、この精査用画像データに基づいて病巣部の精密読影を優先的に行なうことにより、精度のよい読影及び診断を効率よく行なうことが可能となる。
【００７４】
更に、本実施例によれば、操作者が入力部の入力デバイスを用いて参照用画像データの病巣部に対する関心領域の設定を行なっているため、参照用画像データの画質が不良であっても好適なＲＯＩの設定が可能となり、常に、正確な精査範囲を設定することができる。
【００７５】
尚、上述の第２の実施例におけるＲＯＩの設定は、参照画像データの病巣部に対して直接行なう場合について述べたが、第１の実施例と同様にして画像処理によって病巣部の特徴量を検出し、この特徴量が重畳表示された参照用画像データに対して入力デバイスによるＲＯＩの設定を行なってもよい。
【００７６】
以上、本発明の実施例について述べてきたが、本発明は上述の実施例に限定されるものでは無く、変形して実施することが可能である。例えば、上述の実施例では、診断用画像データと参照用画像データの選択を画像データリストに基づいて操作者が行なう場合について述べたが、操作者は診断用画像データのみを選択し、選択された診断用画像データに対応した最適な参照用画像データは画像情報取得部１１によって自動選択されてもよい。例えば、操作者は、表示部１６に表示された画像データリストの中から所望の診断用画像データを選択する。次いで、システム制御部１８を介してこの選択情報を受信した画像情報取得部１１は、画像データリスト生成部９より画像データリストを読み出し、この画像データリストにおいて前記診断用画像データに対応した参照用画像データを選択する。そして選択された参照用画像データと診断用画像データを画像情報記憶部１０から順次読み出し画像データ識別部１２に供給する。
【００７７】
尚、参照用画像データはネットワーク１０３を介して接続された画像データサーバ１０２に一括保管し、画像データリスト生成部９は、画像データサーバ１０２に保管された画像データの付帯情報に基づいて参照用画像データの画像データリストを生成してもよい。この場合、画像情報取得部１１は、選択された参照用画像データを前記画像データサーバ１０２から直接収集する。
【００７８】
又、画像診断装置１０１によって得られた画像データとその付帯情報を、光磁気ディスク等の記憶媒体を介して画像情報記憶部１０に保存してもよい。
【００７９】
ところで、上述の実施例では、サムネール画像データを用いて所望の精査用画像データの選択表示を行なう場合について述べたが、精査範囲設定部１５にて設定された精査範囲の精査用画像データを、例えば、頭部側より順次表示してもよい。この場合の画像更新は操作者が入力部１７にて行なうのが好適である。
【００８０】
一方、上述の実施例では、第１の画像診断装置をＸ線ＣＴ装置、第２の画像診断装置をＸ線診断装置とした場合について述べたが、これに限定されるものではなく他の画像診断装置であってもよい。例えば、第１の画像診断装置としてＭＲＩ装置を選択しても同様の効果を得ることができる。
【００８１】
又、第１の画像診断装置と第２の画像診断装置を同一に設定してもよい。例えば、第１の画像診断装置及び第２の画像診断装置としてＸ線ＣＴ装置を選択した場合、このＸ線ＣＴ装置を第１の画像診断装置として用いた場合のスライス間隔は第２の画像診断装置として用いた場合より狭く設定される。
【図面の簡単な説明】
【００８２】
【図１】本発明の第１の実施例における画像観察装置の全体構成を示すブロック図。
【図２】同実施例の画像情報記憶部に保存された診断用画像データ及び参照用画像データとその付帯情報を模式的に示す図。
【図３】同実施例の画像データリスト生成部によって生成された画像データリストの具体例を示す図。
【図４】同実施例において参照用画像データとして収集された胸部のＸ線透視画像データを示した図。
【図５】同実施例において収集された胸部の診断用画像データとＲＯＩの位置データによって設定された精査用画像データの位置を示す図。
【図６】同実施例における表示部の構成を示すブロック図。
【図７】同実施例の表示部におけるサムネール画像データの表示例を示す図。
【図８】同実施例の表示部におけるスカウト画像データの表示例を示す図。
【図９】同実施例における診断用画像データの観察手順を示すフローチャート。
【図１０】本発明の第２の実施例における画像観察装置の全体構成を示すブロック図。
【図１１】同実施例における診断用画像データの観察手順を示すフローチャート。
【符号の説明】
【００８３】
９…画像データリスト生成部
１０…画像情報記憶部
１１…画像情報取得部
１２…画像データ識別部
１３…診断用画像データ記憶部
１４…特徴量位置データ生成部
１５…精査範囲設定部
１６…表示部
１７…入力部
１８…システム制御部
１００、１５０、画像観察装置
１０１…画像診断装置
１０２…画像データサーバ
１０３…ネットワーク
１４１…参照用画像データ記憶部
１４２…特徴量検出部
１４３…ＲＯＩ設定部
１４４…ＲＯＩ位置データ記憶部
１６１…サムネール画像データ生成部
１６２…スカウト画像データ生成部
１６３…表示データ生成回路
１６４…変換回路
１６５…モニタ
【図１】
2006197968.tif 000003
【図２】
2006197968.tif 000004
【図３】
2006197968.tif 000005
【図４】
2006197968.tif 000006
【図５】
2006197968.tif 000007
【図６】
2006197968.tif 000008
【図７】
2006197968.tif 000009
【図８】
2006197968.tif 000010
【図９】
2006197968.tif 000011
【図１０】
2006197968.tif 000012
【図１１】
2006197968.tif 000013